【手続補正書】
【提出日】平成28年8月8日(2016.8.8)
【手続補正１】
【補正対象書類名】特許請求の範囲
【補正対象項目名】全文
【補正方法】変更
【補正の内容】
【特許請求の範囲】
【請求項１】
導電性支持体及び該導電性支持体上に感光層を有する電子写真感光体において、
該電子写真感光体の表面層が、化合物Ａが吸着しているシリカ粒子を含有し、
該シリカ粒子は、体積平均粒径が０．１μｍ以上４μｍ以下、かつ、比表面積が４００ｍ２／ｇ以上１０００ｍ２／ｇ以下であり、
該化合物Ａは、分子量が１５０以上５５０以下であり、かつ、第３級アミン化合物及びウレア化合物からなる群より選択される少なくとも１種である
ことを特徴とする電子写真感光体。
【請求項２】
前記化合物Ａが、分子量１５０以上５５０以下の第３級アミン化合物である請求項１に記載の電子写真感光体。
【請求項３】
前記第３級アミン化合物が、下記構造式（１）で示される化合物である請求項１または２に記載の電子写真感光体。
【化１】
2014095888.tif 000001
（上記構造式（１）中、Ｒ１〜Ｒ３は、それぞれ独立に、置換若しくは無置換のアルキル基、置換若しくは無置換のアリール基、下記構造式（２）、または下記構造式（３）で示される１価の基を示す。）
【化２】
2014095888.tif 000002
【化３】
2014095888.tif 000003
（上記構造式（２）〜（３）中、Ｒ４とＲ５は、それぞれ独立に、置換若しくは無置換のアルキル基、置換若しくは無置換のアリール基を示す。Ｒ６は、置換若しくは無置換のアルキレン基、置換若しくは無置換のアリーレン基、またはこれらを組み合わせた２価の基を示す。）
【請求項４】
前記置換アルキル基の置換基は、アルコキシ基、ハロゲン原子、またはアリール基であり、前記置換アリール基の置換基はアルキル基、アルコキシ基、アルキルアミノ基、またはハロゲン原子であることを特徴とする、請求項３に記載の電子写真感光体。
【請求項５】
前記化合物Ａが、分子量１５０以上５５０以下のウレア化合物である請求項１に記載の電子写真感光体。
【請求項６】
前記ウレア化合物が、下記構造式（４）で示される化合物である請求項１または５に記載の電子写真感光体。
【化４】
2014095888.tif 000004
（上記構造式（４）中、Ｒ１１とＲ１２は、それぞれ独立に、アルキル基を示す。Ａｒ１とＡｒ２は、それぞれ独立に、置換もしくは無置換のアリール基を示す。）
【請求項７】
前記ウレア化合物が、下記構造式（５）で示される化合物である請求項１または５に記載の電子写真感光体。
【化５】
2014095888.tif 000005
（上記構造式（５）中、Ｒ１３〜Ｒ１６は、それぞれ独立に、アルキル基を示す。Ａｒ３とＡｒ４は、それぞれ独立に、置換もしくは無置換のアリール基を示す。Ａｒ５は、置換もしくは無置換のアリーレン基を示す。）
【請求項８】
前記Ａｒ３とＡｒ４が置換もしくは無置換のフェニル基であり、Ａｒ５がフェニレン基であり、Ｒ１３〜Ｒ１６がメチル基である請求項７に記載の電子写真感光体。
【請求項９】
前記シリカ粒子の比表面積が５５０ｍ２／ｇ以上１０００ｍ２／ｇ以下である請求項１〜８のいずれか１項に記載の電子写真感光体。
【請求項１０】
前記シリカ粒子が細孔を有し、かつ、平均細孔径が５ｎｍ以下である請求項１〜９のいずれか１項に記載の電子写真感光体。
【請求項１１】
前記化合物Ａの吸着量が、前記シリカ粒子に前記化合物Ａを吸着した粒子１００質量部に対して、１０質量％以上５０質量％以下である請求項１〜１０のいずれか１項に記載の電子写真感光体。
【請求項１２】
請求項１〜１１のいずれか１項に記載の電子写真感光体と、帯電手段、現像手段、転写手段及びクリーニング手段からなる群より選ばれる少なくとも一つの手段とを一体に支持し、電子写真装置本体に着脱自在であることを特徴とするプロセスカートリッジ。
【請求項１３】
請求項１〜１１のいずれか１項に記載の電子写真感光体、帯電手段、像露光手段、現像手段、および転写手段を有することを特徴とする電子写真装置。
【請求項１４】
化合物Ａを吸着しているシリカ粒子であって、
該シリカ粒子は、体積平均粒径が０．１μｍ以上４μｍ以下、かつ、比表面積が４００ｍ２／ｇ以上１０００ｍ２／ｇ以下であり、
該化合物Ａは、分子量１５０以上５５０以下であり、かつ、下記構造式（１）で示される第３級アミン化合物及びウレア化合物からなる群より選択される少なくとも１種であることを特徴とする粒子。
【化６】
2014095888.tif 000006
（上記構造式（１）中、Ｒ１〜Ｒ３は、それぞれ独立に、置換若しくは無置換のアルキル基、置換若しくは無置換のアリール基、下記構造式（２）、または下記構造式（３）で示される１価の基を示す。
【化７】
2014095888.tif 000007
【化８】
2014095888.tif 000008
上記構造式（２）〜（３）中、Ｒ４とＲ５は、それぞれ独立に、置換若しくは無置換のアルキル基、置換若しくは無置換のアリール基を示す。Ｒ６は、置換若しくは無置換のアルキレン基、置換若しくは無置換のアリーレン基、またはこれらを組み合わせた２価の基を示す。
前記置換アルキル基の置換基は、アルコキシ基、ハロゲン原子、またはアリール基であり、前記置換アリール基の置換基はアルキル基、アルコキシ基、アルキルアミノ基、またはハロゲン原子である。）
【請求項１５】
導電性支持体、及び該導電性支持体上に形成された感光層を有する電子写真感光体を製造する方法であって、該製造方法が、
シリカ粒子および化合物Ａを溶剤に混合し、ミリング処理して、該シリカ粒子に該化合物Ａを吸着した粒子を得る工程、
該粒子を含む表面層用の塗布液を調製する工程、および
該表面層用の塗布液の塗膜を形成し、該塗膜を乾燥させて表面層を形成する工程、を有し、
該シリカ粒子は、体積平均粒径が０．１μｍ以上４μｍ以下、かつ、比表面積が４００ｍ２／ｇ以上１０００ｍ２／ｇ以下であり、
該化合物Ａは、分子量が１５０以上５５０以下であり、かつ、第３級アミン化合物及びウレア化合物からなる群より選択される少なくとも１種である
ことを特徴とする電子写真感光体の製造方法。
【手続補正２】
【補正対象書類名】明細書
【補正対象項目名】０００９
【補正方法】変更
【補正の内容】
【０００９】
本発明の一態様によれば、導電性支持体及び該導電性支持体上に感光層を有する電子写真感光体において、
該電子写真感光体の表面層が、化合物Ａが吸着しているシリカ粒子を含有し、
該シリカ粒子は、体積平均粒径が０．１μｍ以上４μｍ以下、かつ、比表面積が４００ｍ２／ｇ以上１０００ｍ２／ｇ以下であり、
該化合物Ａは、分子量が１５０以上５５０以下であり、かつ、第３級アミン化合物及びウレア化合物からなる群より選択される少なくとも１種である
ことを特徴とする電子写真感光体である。
【手続補正３】
【補正対象書類名】明細書
【補正対象項目名】００１２
【補正方法】変更
【補正の内容】
【００１２】
また、本発明の他の態様によれば、化合物Ａを吸着しているシリカ粒子であって、
該シリカ粒子は、体積平均粒径が０．１μｍ以上４μｍ以下、かつ、比表面積が４００ｍ２／ｇ以上１０００ｍ２／ｇ以下であり、
該化合物Ａは、分子量１５０以上５５０以下であり、かつ、下記構造式（１）で示される第３級アミン化合物及びウレア化合物からなる群より選択される少なくとも１種であることを特徴とする粒子である。
【化１】
2014095888.tif 000009
（上記構造式（１）中、Ｒ１〜Ｒ３は、それぞれ独立に、置換若しくは無置換のアルキル基、置換若しくは無置換のアリール基、下記構造式（２）、または下記構造式（３）で示される１価の基を示す。
【化２】
2014095888.tif 000010
【化３】
2014095888.tif 000011
上記構造式（２）〜（３）中、Ｒ４とＲ５は、それぞれ独立に、置換若しくは無置換のアルキル基、置換若しくは無置換のアリール基を示す。Ｒ６は、置換若しくは無置換のアルキレン基、置換若しくは無置換のアリーレン基、またはこれらを組み合わせた２価の基を示す。
前記置換アルキル基の置換基は、アルコキシ基、ハロゲン原子、またはアリール基であり、前記置換アリール基の置換基はアルキル基、アルコキシ基、アルキルアミノ基、またはハロゲン原子である。）
【手続補正４】
【補正対象書類名】明細書
【補正対象項目名】００１３
【補正方法】変更
【補正の内容】
【００１３】
また、本発明の他の態様によれば、導電性支持体、及び該導電性支持体上に形成された感光層を有する電子写真感光体を製造する方法であって、該製造方法が、
シリカ粒子および化合物Ａを溶剤に混合し、ミリング処理して、該シリカ粒子に該化合物Ａを吸着した粒子を得る工程、
該粒子を含む表面層用の塗布液を調製する工程、および
該表面層用の塗布液の塗膜を形成し、該塗膜を乾燥させて表面層を形成する工程、を有し、
該シリカ粒子は、体積平均粒径が０．１μｍ以上４μｍ以下、かつ、比表面積が４００ｍ２／ｇ以上１０００ｍ２／ｇ以下であり、
該化合物Ａは、分子量が１５０以上５５０以下であり、かつ、第３級アミン化合物及びウレア化合物からなる群より選択される少なくとも１種である
ことを特徴とする電子写真感光体の製造方法である。